(57)【要約】【課題】管体の位置の調節が容易であり、管体の位置を大きく変更することが可能な管体固定具を提供する。【解決手段】管体固定具１の長ボルト４１は、天井パネル６に設けられたスプリンクラー用開口７とスプリンクラーヘッド２との隙間から、ドライバー８等の工具を差し込んで回転させることが可能である。管体固定具１は、天井裏においてスプリンクラー用配管３が角パイプ４に取り付けられた状態であっても、スプリンクラー用開口７から工具を差し込んで管体固定具１によるスプリンクラー用配管３の固定を解除できる。また、管体固定具１の固定を解除した状態で、スプリンクラーヘッド２の点検等の作業を行った後に、スプリンクラー用開口７から工具を差し込んで、再度管体固定具１によるスプリンクラー用配管３の固定ができる。【選択図】図８
2019023492.tif 000002
【特許請求の範囲】
【請求項１】
支柱に対して交差するように管体を固定する固定具であって、
前記管体を保持する管体保持部と、
前記管体保持部から前記管体が配置される領域を挟んで前記支柱側に延びて前記支柱を保持する一対の支柱保持部とを備え、
前記管体保持部は、前記管体の軸方向に並行して移動可能な軸方向移動部材と、前記軸方向移動部材によって駆動され、前記軸方向移動部材の移動に連動して前記管体の表面に対して進退自在の管体当接部材とを有し、
前記管体保持部により少なくとも前記管体の外周の一部を囲み、前記支柱保持部により前記支柱を保持した状態で、前記軸方向移動部材の前進により前記管体当接部材を前記管体の表面に押し付けて前記管体を前記支柱側に押し付けることにより両者を位置決め固定し、前記軸方向移動部材の後退により前記管体当接部材を前記管体の表面から離反させて前記支柱と前記管体とを開放可能であることを特徴とする管体固定具。
【請求項２】
請求項１に記載の管体固定具であって、
前記管体は前端部にスプリンクラーヘッドを備えたスプリンクラー用配管であり、前記スプリンクラーヘッドは建築物の内装部材に設けられたスプリンクラー用開口から突出するように固定され、
前記軸方向移動部材は、前記スプリンクラーヘッドと前記スプリンクラー用開口との隙間から差し込まれる工具によって駆動可能な位置に設けられていることを特徴とする管体固定具。
【請求項３】
請求項１又は２に記載の管体固定具であって、
前記管体当接部材は、前記管体保持部に設けられ前記軸方向移動部材に対して直交する方向に設けられた揺動軸を中心に揺動自在であり、前記軸方向移動部材に対して並列して設けられ前記揺動軸により揺動可能な並列部と、前記並列部の前記揺動軸を挟んで軸方向の両側に設けられ前記管体の表面に向けて突出する第１突出部及び第２突出部とからなり、
前記軸方向移動部材を前進させると、前記軸方向移動部材により前記管体当接部材の前記第１突出部が押圧され、前記揺動軸を支点として前記並列部が揺動し、前記第２突出部が前記管体の表面に押し付けられることを特徴とする管体固定具。
【請求項４】
請求項３に記載の管体固定具であって、
前記管体当接部材は、前記第２突出部が前記管体の軸方向に離れた位置に複数設けられていることを特徴とする管体固定具。
【請求項５】
請求項３又は４に記載の管体固定具であって、
前記第２突出部は、前記軸方向移動部材との干渉を防止する溝又は孔からなる挿通部を有していることを特徴とする管体固定具。
【請求項６】
請求項３乃至５のいずれか１項に記載の管体固定具であって、
前記第２突出部は、前記支柱側に延びて前記管体の側面を支持する側面支持部を有していることを特徴とする管体固定具。
【発明の詳細な説明】
【技術分野】
【０００１】
本発明は、支柱に管体を固定するための管体固定具に関する。
【背景技術】
【０００２】
建築物における配管工事等において、建築物に設けられている支柱に種々の配管を固定する固定具が用いられている。例えば、天井裏に設けられた角パイプに、スプリンクラー用の配管を固定する固定具が知られている（特許文献１参照）。
【０００３】
特許文献１に記載の固定具は、角パイプに固定されるフレーム本体と、スプリンクラー用配管を固定すると共にフレーム本体に対して配管の軸方向にスライド可能なスライド用フレームと、このスライド用フレームをフレーム本体に対してスライドさせるネジ機構（長ナット、長ボルト等）を備えている。
【０００４】
そして、スプリンクラーヘッドと天井ボードとの間の隙間から、工具を挿入してネジ機構を回転させ、フレーム本体に対してスライド用フレームをスライドさせることにより、天井ボードに対するスプリンクラーヘッドの位置の調整を行うことができるように構成されている。
【先行技術文献】
【特許文献】
【０００５】
【特許文献１】特開平１１−２４４４０８号公報
【発明の概要】
【発明が解決しようとする課題】
【０００６】
特許文献１に記載の固定具は、ネジ機構を回転させることにより、スプリンクラーヘッドの位置を調整可能にしているが、スプリンクラーヘッドの位置の移動量は、ネジ機構における長ボルトのピッチと長ボルトの回転数によって決まる。
【０００７】
通常、長ボルトのピッチは１ｍｍ程度であるため、例えば、スプリンクラーヘッドを１０ｍｍ異動させるためには長ボルトを１０回転させなければならない。このような構成では、スプリンクラーヘッドの位置の微調整は可能になるが、スプリンクラーヘッドの位置を大きく変更しなければならない場合、長ボルトを多数回転させなければならず、作業が繁雑になる。
【０００８】
また、スプリンクラーヘッドを天井ボードから大きく引き出して点検や修理等を行う場合、特許文献１のような構成ではスプリンクラーヘッドの移動量が限られているため、対応することができない。このような場合は、天井ボードを開けて作業員が天井裏においてスライド用フレームからスプリンクラー用配管を取り外す等の作業を行う必要があった。
【０００９】
本発明は、上記不都合を解消するために、管体の位置の調節が容易であり、管体の位置を大きく変更することが可能な管体固定具を提供することを目的とする。
【課題を解決するための手段】
【００１０】
上記目的を達成するために、本発明の管体固定具は、支柱に対して交差するように管体を固定する固定具であって、前記管体を保持する管体保持部と、前記管体保持部から前記管体が配置される領域を挟んで前記支柱側に延びて前記支柱を保持する一対の支柱保持部とを備え、前記管体保持部は、前記管体の軸方向に並行して移動可能な軸方向移動部材と、前記軸方向移動部材によって駆動され、前記軸方向移動部材の移動に連動して前記管体の表面に対して進退自在の管体当接部材とを有し、前記管体保持部により少なくとも前記管体の外周の一部を囲み、前記支柱保持部により前記支柱を保持した状態で、前記軸方向移動部材の前進により前記管体当接部材を前記管体の表面に押し付けて前記管体を前記支柱側に押し付けることにより両者を位置決め固定し、前記軸方向移動部材の後退により前記管体当接部材を前記管体の表面から離反させて前記支柱と前記管体とを開放可能であることを特徴とする。
【００１１】
本発明の管体固定具によれば、軸方向移動部材の前進によって管体当接部材を管体の表面に押し付けて支柱に管体を位置決め固定し、軸方向移動部材の後退によって支柱と管体とを開放することができる。従って、支柱に位置決め固定された管体の位置を変更する際には、軸方向移動部材を後退させて管体を支柱から開放し、管体の位置を変更した状態で軸方向移動部材を前進させて支柱に管体を固定すればよい。これにより、管体を移動させる際に、上記特許文献１のように長ボルトを何回も回転させることなく管体の位置の変更を行うことができる。また、管体に付帯する設備の点検等のため、管体の位置を大きく変更する必要がある場合にも対応することができる。
【００１２】
また、本発明の管体固定具において、前記管体は前端部にスプリンクラーヘッドを備えたスプリンクラー用配管であり、前記スプリンクラーヘッドは建築物の内装部材に設けられたスプリンクラー用開口から突出するように固定されるときは、前記軸方向移動部材は、前記スプリンクラーヘッドと前記スプリンクラー用開口との隙間から差し込まれる工具によって駆動可能な位置に設けられていることが好ましい。
【００１３】
当該構成によれば、スプリンクラーヘッドの位置を変更する際に、天井等の内装部材に設けられたスプリンクラー用開口から工具を差し込んで軸方向移動部材を前進又は後退させてスプリンクラーヘッドを支柱に固定又は解放させることができる。従って、スプリンクラーヘッドの位置を変更する際に、内装部材を取り外す必要がなく、作業員が天井裏等に入り込んで作業を行う必要もない。
【００１４】
また、本発明の管体固定具においては、前記管体当接部材は、前記管体保持部に設けられ前記軸方向移動部材に対して直交する方向に設けられた揺動軸を中心に揺動自在であり、前記軸方向移動部材に対して並列して設けられ前記揺動軸により揺動可能な並列部と、前記並列部の前記揺動軸を挟んで軸方向の両側に設けられ前記管体の表面に向けて突出する第１突出部及び第２突出部とからなり、前記軸方向移動部材を前進させると、前記軸方向移動部材により前記管体当接部材の前記第１突出部が押圧され、前記揺動軸を支点として前記並列部が揺動し、前記第２突出部が前記管体の表面に押し付けられる構成とすることができる。
【００１５】
当該構成では、管体当接部材を管体保持部に設けられた揺動軸により揺動させて、第２突出部を管体の表面に対して進退可能としている。また、第２突出部の進退は、軸方向移動部材による第１突出部の移動により行われる。このような簡易な構成により、支柱と管体との固定及び開放を実現することができる。
【００１６】
また、本発明の管体固定具においては、前記管体当接部材は、前記第２突出部が前記管体の軸方向に離れた位置に複数設けられていることが好ましい。このように、第２突出部が、管体の軸方向に離れた位置で複数設けられることにより、支柱に管体を固定する際には、管体の軸方向の傾きを防止することができる。
【００１７】
また、本発明の管体固定具においては、前記第２突出部は、前記軸方向移動部材との干渉を防止する溝又は孔からなる挿通部を有していることが好ましい。当該構成によれば、挿通部によって軸方向移動部材と干渉することなく、第２突出部を管体の表面に対して進退させることができる。
【００１８】
また、本発明の管体固定具においては、前記第２突出部は、前記支柱側に延びて前記管体の側面を支持する側面支持部を有していることが好ましい。当該構成によれば、支柱に管体を固定する際に、管体の側方の位置決めを確実に行うことができる。
【図面の簡単な説明】
【００１９】
【図１】本発明の実施形態の一例である管体固定具によって、支柱に対して管体を固定している状態を示す説明図。
【図２】本実施形態の管体固定具における支柱保持部の構成を示す説明図。
【図３】本実施形態の管体固定具における管体保持部の構成を示す説明図。
【図４】本実施形態の管体固定具における管体保持部の裏面の構成を示す説明図。
【図５】（Ａ）〜（Ｅ）は、本実施形態の管体固定具における支柱保持部を支柱に装着する際の手順を示す説明図。
【図６】（Ａ）及び（Ｂ）は、本実施形態の管体固定具における支柱保持部を支柱に固定する状態を示す説明図。
【図７】（Ａ）及び（Ｂ）は、本実施形態の管体固定具における管体保持部の作動を示す説明図。
【図８】本実施形態の管体固定具において、設置後に工具で管体保持部を操作している状態を示す説明図。
【図９】本発明の変形例である管体固定具における管体当接部材の構成を示す説明図。
【図１０】本発明の変形例である管体固定具によって支柱に対して管体を固定している状態を示す説明図。
【発明を実施するための形態】
【００２０】
次に、図１乃至図８を参照して、本発明の管体固定具の実施形態について説明する。本実施形態の管体固定具１は、前端部にスプリンクラーヘッド２を有するスプリンクラー用配管３（管体）を、支柱である角パイプ４に位置決め固定するための固定具である。また、スプリンクラー用配管３の外周面には、合成樹脂製の滑り止め用のカバー５が装着されている。これらの各部材は天井裏に設けられており、スプリンクラーヘッド２は建築物の内装部材である天井パネル６に設けられたスプリンクラー用開口７から室内に向けて突出するように固定される。
【００２１】
管体固定具１は、図１に示すように、スプリンクラー用配管３を角パイプ４に対して交差するように固定するための金具であり、角パイプ４側に延びてこの角パイプ４を保持する一対の支柱保持部１０と、スプリンクラー用配管３を保持する管体保持部４０とを有している。
【００２２】
図１において、角パイプ４はＹ方向に設けられており、スプリンクラー用配管３はＺ方向に設けられている。この角パイプ４とスプリンクラー用配管３は、Ｘ方向に隣接して設けられている。
【００２３】
支柱保持部１０は、Ｙ方向に延びる角パイプ４を保持する部材であり、金属板を曲げ加工することにより形成されている。この支柱保持部１０は、Ｚ方向から見たときに、スプリンクラー用配管３が配置される領域を挟んで角Ｕ字状となるように形成されている。
【００２４】
図２に示すように、支柱保持部１０は、角パイプ４の軸方向（Ｙ方向）に間隔を空けて設けられた第１保持部１１及び第２保持部２１と、これらの第１保持部１１及び第２保持部２１に亘って着脱自在に固定される固定クリップ３１（保持部材）を備えている。
【００２５】
第１保持部１１は、Ｙ方向から見て略矩形状である板材に角パイプ４が挿入可能な第１開口部１２が設けられており、Ｙ方向から見たときに下方が開放されている。第１開口部１２の上端部は、角パイプ４の上面４Ｕ（上方部）に当接する第１上方当接部１３となっている。
【００２６】
また、図２において、第１開口部１２におけるＸ方向の左側、即ちスプリンクラー用配管３が固定される固定側とは反対側は、角パイプ４のＸ方向の左側の側面４Ｌに当接する第１Ｘ方向当接部１４となっている。この第１Ｘ方向当接部１４の下端部には、Ｘ方向の右側（固定側）に向けて突出し、角パイプ４の下面４Ｎに当接可能な第１下方当接部１５が設けられている。また、第１開口部１２の右側には、第１上方当接部１３から下方に延びる第１下方延出部１６が設けられている。
【００２７】
第２保持部２１は、Ｙ方向から見て略矩形状である板材に、Ｘ方向の左側（反対側）に開口して角パイプ４が挿入可能な第２開口部２２が設けられている。第２開口部２２の上端部は、角パイプ４の上面４Ｕに当接する第２上方当接部２３である。また、図２において、第２開口部２２におけるＸ方向の左側は、角パイプ４の反対側の側面４Ｌに当接する第２Ｘ方向当接部２４となっている。
【００２８】
また、第２開口部２２のＸ方向の右側（固定側）には第２Ｘ方向当接部２４からＺ方向の下方に延びる第２下方延出部２５が設けられている。この第２下方延出部２５の下端部には、Ｘ方向の左側に向けて延びる第２下方当接部２６が設けられている。
【００２９】
固定クリップ３１は、バネ鋼の線材を曲げ加工することにより形成されており、第１下方延出部１６の下方位置に設けられた第１貫通孔１７と、第２下方延出部２５の下方位置に設けられた第２貫通孔２７に回動自在に装着されている。これにより、固定クリップ３１は、支柱保持部１０に対して揺動自在に保持される。
【００３０】
固定クリップ３１は、図２に示すように、装着時には第１保持部１１の第１開口部１２を塞ぐと共に、角パイプ４の下面４Ｎに当接して角パイプ４を保持する第１当接部３２を有している。また、固定クリップ３１は、第２保持部２１の第２開口部２２を塞ぐと共に、角パイプ４の下面４Ｎに当接して角パイプ４を保持する第２当接部３３を有している。
【００３１】
また、図２に示すように、固定クリップ３１は、第１保持部１１の左側端面に設けられた第１係合溝１８、及び第２保持部２１の左側端面に設けられた第２係合溝２８に係合する係合部３４を有している。この係合部３４は、図２に示す状態において、第１当接部３２及び第２当接部３３からＺ方向の上方に立ち上がっており、Ｘ方向から見たときに下方が開放された角Ｕ字状に形成されている。
【００３２】
本実施形態の管体固定具１の支柱保持部１０は上記構成となっているため、図１及び図２に示すように、角パイプ４に固定された際には、以下のように角パイプ４を保持している。まず、第１保持部１１においては、角パイプ４は第１上方当接部１３、第１Ｘ方向当接部１４及び固定クリップ３１の第１当接部３２により保持される。このとき、角パイプ４は、固定クリップ３１の弾性によって、第１上方当接部１３に押し付けられている。
【００３３】
第２保持部２１においては、角パイプ４は第２上方当接部２３、第２Ｘ方向当接部２４、及び固定クリップ３１の第２当接部３３により保持される。このとき、角パイプ４は、固定クリップ３１の弾性によって、第２上方当接部２３に押し付けられている。
【００３４】
次に、管体保持部４０について、図３及び図４を参照して説明する。管体保持部４０は、管体固定具１においてスプリンクラー用配管３の外周の一部を囲むように、Ｚ方向から見たときに角Ｕ字状となるように形成されている。また、支柱保持部１０の第１保持部１１及び第２保持部２１と管体保持部４０とは、金属板により一体に連結されている。
【００３５】
管体保持部４０の背面には、スプリンクラー用配管３の軸方向（Ｚ方向）に並行に移動可能な長ボルト４１（軸方向移動部材）と、この長ボルト４１の移動に連動してスプリンクラー用配管３の表面に対して進退自在の管体当接部材４２が設けられている。
【００３６】
図３は、管体当接部材４２を角パイプ４側から見た斜視図である。図３では、管体当接部材４２の構成を明らかにするために、管体保持部４０及び支柱保持部１０を点線で表示すると共に、一部を切り欠いた状態としている。
【００３７】
図３に示すように、管体当接部材４２は、Ｙ方向から見て角Ｕ字状に形成された外側部材４３と内側部材４４の２枚の板材から形成されている。外側部材４３及び内側部材４４は、共に金属板を曲げ加工することにより形成されている。
【００３８】
また、管体当接部材４２は、管体保持部４０の背面に設けられた揺動軸４５によって揺動自在となっている。揺動軸４５は、長ボルト４１の軸方向（Ｚ方向）に対して直交する方向（Ｙ方向）に設けられており、管体保持部４０の背面に設けられた軸保持部４６に保持されている（図４参照。）。
【００３９】
管体当接部材４２は、長ボルト４１と並列に設けられた並列部４７と、揺動軸４５の上方に位置して並列部４７からスプリンクラー用配管３側に突出するする第１突出部４８と、揺動軸４５の下方に位置して並列部４７からスプリンクラー用配管３側に突出する第２突出部４９とを備えている。このように、第１突出部４８と第２突出部４９は、揺動軸４５を挟んで軸方向の両側に設けられている。この管体当接部材４２は、内側部材４４に設けられた軸受部５０で揺動軸４５に支持され、これを支点として揺動可能となっている。
【００４０】
図３に示すように、第１突出部４８は、外側部材４３と内側部材４４が重ねられた状態で形成されている。また、第１突出部４８は、Ｚ方向から見たときに略長方形状に形成され、第２突出部４９と対向する面に長ボルト４１の先端部が当接するように形成されている。
【００４１】
第２突出部４９は、外側部材４３と内側部材４４がスプリンクラー用配管３の軸方向に離れた状態で複数設けられている。また、第２突出部４９は、長ボルト４１と干渉しないように先端側から溝が設けられており、この溝が挿通部５１を形成している。第２突出部４９においては、外側部材４３及び内側部材４４の先端部に凹凸５２が設けられている。この凹凸５２は、スプリンクラー用配管３に装着されたカバー５の形状に合わせた形状となっている。
【００４２】
長ボルト４１は、表面に雄ねじ部４１ａが形成されており、図４に示す管体保持部４０の背面に設けられた雌ねじ部５３と進退自在にねじ結合されている。雌ねじ部５３は、管体保持部４０の表面側（スプリンクラー用配管３側）に向けて２箇所で突出する部分と、裏面側に突出する１箇所の部分が交互に配置され、それぞれの内側にねじ山が形成された構成となっている。
【００４３】
本実施形態の管体固定具１では、長ボルト４１を進行方向又は後退方向に回転させることで、管体当接部材４２を駆動してスプリンクラー用配管３に対して進退させて、スプリンクラー用配管３の固定及び解除を行うことができるように構成されている。
【００４４】
次に、本実施形態の管体固定具１の支柱保持部１０を角パイプ４に装着する際の手順について、図５及び図６を参照して説明する。なお、図５においては、スプリンクラー用配管３の記載を省略している。
【００４５】
まず、図５（Ａ）に示すように、固定クリップ３１を第１係合溝１８及び第２係合溝２８から取り外して下方に位置させ、その状態でスプリンクラー用配管３の周囲に装着されたカバー５の外周部分に管体保持部４０を装着する。また、ＸＹ平面で角パイプ４に対して管体固定具１を傾けて、第２保持部２１をＸ方向のスプリンクラー用配管３が固定される側（固定側）に位置させ、第１保持部１１の第１開口部１２を角パイプ４の上方に位置させる。
【００４６】
次に、図５（Ｂ）に示すように、管体固定具１を下方に移動させ、第１保持部１１の第１開口部１２内に角パイプ４を挿入する。このように、第１開口部１２は、図５（Ｂ）の状態で角パイプ４を装着可能な大きさに形成されている。次に、図５（Ｃ）に示すように、第２保持部２１を多少上方に移動させて、第２Ｘ方向当接部２４が角パイプ４に当たらないようにしながら、第２保持部２１を角パイプ４の方向に移動させる。
【００４７】
これにより、図５（Ｄ）に示すように、第１保持部１１の第１開口部１２及び第２保持部２１の第２開口部２２内に角パイプ４が挿入される。この図５（Ｄ）の状態を、角度を変えて見たのが図６（Ａ）に示す状態となる。図５（Ｄ）及び図６（Ａ）に示すように、角パイプ４は、支柱保持部１０の第１上方当接部１３、第１Ｘ方向当接部１４、第２上方当接部２３、及び第２Ｘ方向当接部２４に当接する状態となる。
【００４８】
このとき、何らかの原因により、管体固定具１に外部から力が加わった場合であっても、本実施形態の管体固定具１では、支柱保持部１０が容易に角パイプ４から外れることはない。例えば、図５（Ｄ）の状態で管体固定具１に下方から力が加わった場合、第１下方当接部１５及び第２下方当接部２６によって、管体固定具１が角パイプ４から外れることが防止される。
【００４９】
また、図５（Ｄ）の状態で管体固定具１のＸ方向の左側から力が加わった場合、第１Ｘ方向当接部１４及び第２Ｘ方向当接部２４によって、管体固定具１が角パイプ４から外れることが防止される。また、支柱保持部１０の構造上、管体固定具１の上から及び右側から力が加わっても、管体固定具１が角パイプ４から外れることはない。
【００５０】
このように、本実施形態の管体固定具１によれば、支柱保持部１０の第１開口部１２及び第２開口部２２が上記構成を有しているため、固定クリップ３１によって角パイプ４を固定する前であっても、容易に角パイプ４から外れることはない。
【００５１】
図６（Ａ）は、図５（Ｄ）の状態の管体固定具１を反対側から見た状態を示す。この
図６（Ａ）の状態では、固定クリップ３１は管体固定具１の下方に下ろされた状態となっているが、固定クリップ３１は、図６（Ａ）の状態でＺ方向から見たときに角Ｕ字状に形成されているため、下方に下ろされた状態でもスプリンクラー用配管３とは干渉しないようになっている。また、第２保持部２１の固定側の下端部には、固定クリップ３１用のストッパー２９が設けられており、固定クリップ３１を下方に下ろした際の位置決めを行うことができる。
【００５２】
この状態から、図５（Ｅ）及び図６（Ｂ）に示すように、固定クリップ３１を揺動させて、固定クリップ３１の係合部３４を第１係合溝１８及び第２係合溝２８に係合させる。以上の手順により、管体固定具１の支柱保持部１０を支柱である角パイプ４に装着する。本実施形態の管体固定具１は、以上の手順により、支柱保持部１０を角パイプ４に装着することができる。
【００５３】
次に、図１及び図７を参照して、本実施形態の管体固定具１において、管体保持部４０によりスプリンクラー用配管３を角パイプ４に対して位置決め固定する際の手順について説明する。まず、図１を参照して、スプリンクラーヘッド２の位置を天井パネル６に設けられたスプリンクラー用開口７から室内に向けて所定の固定位置となるようにスプリンクラー用配管３を保持し、その状態で長ボルト４１を締め込み方向に回転させて前進させる。
【００５４】
長ボルト４１は、進行方向又は後退方向に回転させることで、表面に設けられた雄ねじ部４１ａと、管体保持部４０に設けられた雌ねじ部５３との作用により進退自在となっている。図７（Ａ）に示すように、長ボルト４１を締め込む方向に回転させると、長ボルト４１は図７（Ａ）において矢印６１の方向に移動していき、長ボルト４１の先端部が管体当接部材４２の第１突出部４８を押圧して上方に押し上げる。
【００５５】
管体当接部材４２の第１突出部４８が図７（Ａ）において上方に押されると、管体当接部材４２が揺動軸４５を中心に揺動して矢印６２の方向に移動し、第２突出部４９の先端部がスプリンクラー用配管３側に当接する。スプリンクラー用配管３の表面にはカバー５が設けられているため、第２突出部４９はカバー５を介してスプリンクラー用配管３を角パイプ４に押しつけることとなる。角パイプ４は支柱保持部１０により保持されているため、スプリンクラー用配管３は、角パイプ４に押しつけられて、両者が位置決め固定される。
【００５６】
このとき、管体当接部材４２の第２突出部４９は、外側部材４３と内側部材４４によって、スプリンクラー用配管３の軸方向（Ｚ方向）に離れて設けられているので、スプリンクラー用配管３の軸方向の傾きを防止することができる。また、この第２突出部４９は、図７（Ａ）及び（Ｂ）に示すように、角パイプ４の太さ（Ｚ方向の高さ）に合わせて外側部材４３と内側部材４４の位置を決めているので、スプリンクラー用配管３の傾きを効果的に防止できると共に、角パイプ４に対するスプリンクラー用配管３の押しつけ力を確実に作用させることができる。
【００５７】
次に、一度所定位置に位置決め固定されたスプリンクラー用配管３及びスプリンクラーヘッド２の位置を変更させる際の手順について説明する。図８に示すように、長ボルト４１は、天井パネル６に設けられたスプリンクラー用開口７とスプリンクラーヘッド２との隙間から、ドライバー８等の工具を差し込んで駆動可能な位置に設けられている。
【００５８】
図７（Ｂ）に示す状態で、矢印６３のように長ボルト４１を後退方向（緩める方向）に回転させると、長ボルト４１は図７（Ｂ）に示すように下方に移動するため、管体当接部材４２の第１突出部４８への長ボルト４１の押しつけが解除される。これにより、第２突出部４９がスプリンクラー用配管３の表面から離反し、第２突出部４９によるスプリンクラー用配管３への押しつけも解除され、管体当接部材４２が図７（Ｂ）の矢印６４で示す方向に揺動が可能となり、スプリンクラー用配管３を開放可能としている。
【００５９】
このように、管体当接部材４２によるスプリンクラー用配管３への位置決め固定が開放されると、スプリンクラー用配管３は角パイプ４に対して移動可能な状態となる。よって、例えばスプリンクラーヘッド２の天井パネル６からの突出量を変更したい場合や、スプリンクラーヘッド２の点検のために天井パネル６からスプリンクラーヘッド２を引き出したい場合等に好適である。
【００６０】
その後、再度スプリンクラーヘッド２の位置決めを行うときは、スプリンクラーヘッド２を天井パネル６に対して任意の位置に保持した状態で、図８に示すように、ドライバー８によって長ボルト４１を駆動して締め込む方向に回転させる。これにより、長ボルト４１の先端部で管体当接部材４２の第１突出部４８を上方に押し上げ、並列部４７を揺動させて第２突出部４９をスプリンクラー用配管３側に移動させ、角パイプ４とスプリンクラー用配管３とを位置決め固定することができる。
【００６１】
このように、本実施形態の管体固定具１によれば、天井裏においてスプリンクラー用配管３が角パイプ４に取り付けられた状態であっても、スプリンクラー用開口７から工具を差し込んで管体固定具１によるスプリンクラー用配管３の固定を解除することができる。また、管体固定具１の固定を解除した状態で、スプリンクラーヘッド２の点検等の作業を行った後に、スプリンクラー用開口７から工具を差し込んで、再度管体固定具１によるスプリンクラー用配管３の固定を行う事ができる。
【００６２】
これらの管体固定具１の解除及び固定は、スプリンクラー用配管３の移動量に関わりなく、第２突出部４９による解除及び固定をするために必要な回転数だけ長ボルト４１を回転させればよいので、従来のようにスプリンクラー用配管３の移動量分の回転を必要とする場合に比べて作業を容易且つ迅速に行う事ができる。
【００６３】
次に、本発明の管体固定具の変形例について、図９及び図１０を参照して説明する。図９に示すように、本変形例の管体固定具１ａは、管体当接部材４２ａの第２突出部４９ａの形状が上記実施形態と異なっている。なお、本変形例における上記実施形態と同一の構成については、図面中に上記実施形態と同一の符号を付すことにより詳細な説明を省略する。
【００６４】
本変形例の管体固定具１ａにおける管体当接部材４２ａの第２突出部４９ａは、図９に示すように、スプリンクラー用配管３の外周面に当接する部分の左右（Ｙ方向）の両端部が、角パイプ４側（Ｘ方向）に向けて延長された側面支持部５４となっている。
【００６５】
この側面支持部５４は、図１０に示すように、管体固定具１ａによって角パイプ４及びスプリンクラー用配管３を固定した際に、スプリンクラー用配管３の外周の側面まで回り込んでその側面を支持する構造となっている。また、本変形例においても第２突出部４９ａのスプリンクラー用配管３に対向する面に、スプリンクラー用配管３のカバー５の形状に合わせた凹凸５２が設けられている。
【００６６】
この管体固定具１ａによれば、第２突出部４９ａの側面支持部５４によって、スプリンクラー用配管３の外周の側面を支持する構造となっているので、スプリンクラー用配管３のＹ方向のずれを確実に防止することができる。また、管体当接部材４２ａの第２突出部４９ａが、外側部材４３と内側部材４４によって、スプリンクラー用配管３の軸方向（Ｚ方向）に離れて設けられているので、この側面支持部５４によってスプリンクラー用配管３の軸方向の傾きを防止することができる。
【００６７】
なお、上記各実施形態において、管体固定具１及び１ａは、スプリンクラー用配管３を角パイプ４に固定する固定具として説明したが、これに限らず、支柱に対して交差するように管体を固定するものであれば、他の用途に用いることもできる。また、上記実施形態において、支柱保持部１０及び管体保持部４０を、主に金属板を用いて形成しているが、これに限らず、合成樹脂製としてもよく、ダイカスト等の部材を用いてもよい。
【００６８】
また、管体保持部４０は、管体当接部材４２及び４２ａを揺動させてスプリンクラー用配管３を固定するようにしているが、当該構成に限らず、例えば、Ｚ方向にくさび部材を配置し、長ボルト４１を進退させてこのくさび部材によってスプリンクラー用配管３を角パイプ４側に押し付けてもよい。また、管体当接部材４２及び４２ａは、外側部材４３及び内側部材４４の２枚の板部材により形成しているが、１枚の部材により形成してもよく、３枚以上の板材で形成してもよい。また、挿通部５１は、上記実施形態では溝で形成しているが、これを長孔としてもよい。さらに、上記実施形態では、滑り止め用のカバー５を合成樹脂製としているが、これに限らず、金属製のものとしてもよい。
【符号の説明】
【００６９】
１，１ａ…管体固定具、２…スプリンクラーヘッド、３…スプリンクラー用配管（管体）、４…角パイプ（支柱）、５…カバー、６…天井パネル、７…スプリンクラー用開口、８…ドライバー、１０…支柱保持部、１１…第１保持部、１２…第１開口部、１３…第１上方当接部、１４…第１Ｘ方向当接部、１５…第１下方当接部、１６…第１下方延出部、１７…第１貫通孔、１８…第１係合溝、２１…第２保持部、２２…第２開口部、２３…第２上方当接部、２４…第２Ｘ方向当接部、２５…第２下方延出部、２６…第２下方当接部、２８…第２係合溝、２９…ストッパー、３１…固定クリップ、３２…第１当接部、３３…第２当接部、３４…係合部、４０…管体保持部、４１…長ボルト（軸方向移動部材）、４２，４２ａ…管体当接部材、４３…外側部材、４４…内側部材、４５…揺動軸、４６…軸保持部、４７…並列部、４８…第１突出部、４９，４９ａ…第２突出部、５０…軸受部、５１…挿通部、５２…凹凸、５３…雌ねじ部、５４…側面支持部。
【図１】
2019023492.tif 000003
【図２】
2019023492.tif 000004
【図３】
2019023492.tif 000005
【図４】
2019023492.tif 000006
【図５】
2019023492.tif 000007
【図６】
2019023492.tif 000008
【図７】
2019023492.tif 000009
【図８】
2019023492.tif 000010
【図９】
2019023492.tif 000011
【図１０】
2019023492.tif 000012